(57)【要約】【課題】部屋の温度変化を抑えながら、部屋の空気の浄化を行えるようにした送風装置を提供する。【解決手段】送風装置１は、屋外の空気と室内の空気を吸い込んで室内に給気する給気ファン２と、給気ファン２で吸い込んだ外気と室内の空気を混合させる混合風路１１と、給気ファン２で吸い込まれて混合風路１１を通過した空気が通る吹出風路７ｂと、正イオン及び負イオンを発生させ、吹出風路７ｂを通る空気にイオンを供給するイオン発生器３を備える。吹出風路７ｂは、フィルタ８を傾斜させて配置することで、室内吹出口５ａとフィルタ８との間で室内吹出口５ａの近傍にイオン放出空間９を形成して、イオン発生器３をイオン放出空間９に取り付ける。【選択図】        図１
2006308180.tif 000002
【特許請求の範囲】
【請求項１】
部屋の壁に取り付けられ、屋外の空気を室内の温度に近づけて室内に給気を行う送風装置において、
屋外と室内の空気を吸い込んで室内に給気する給気ファンと、
前記給気ファンで吸い込んだ屋外の空気と室内の空気を混合させる混合風路と、
前記給気ファンで吸い込まれて前記混合風路を通過した空気が通り、室内へと空気を吹き出す室内吹出口と連通した吹出風路と、
正イオン及び負イオンを発生させ、前記吹出風路を通る空気にイオンを供給するイオン発生器と
を備えたことを特徴とする送風装置。
【請求項２】
前記吹出風路を通る空気を清浄するフィルタを備え、
前記フィルタを前記室内吹出口に対して傾斜させて配置して、前記室内吹出口と前記フィルタとの間で前記室内吹出口の近傍にイオン放出空間を形成し、前記イオン発生器で、前記イオン放出空間にイオンを供給する
ことを特徴とする請求項１記載の送風装置。
【請求項３】
前記イオン発生器は、イオンの放出面が前記イオン放出空間を形成する前記吹出風路の壁部と略同一面となるように取り付けた
ことを特徴とする請求項２記載の送風装置。
【請求項４】
前記給気ファンは、回転駆動される羽根車の軸方向から空気を吸い込むと共に、前記羽根車の接線方向から空気を吹き出し、前記吹出風路は、前記給気ファンから吹き出した空気の流れを装置本体の正面方向へと曲げる風路形成部を備え、
前記イオン発生器を、空気の曲がる方向に対して外側に配置した
ことを特徴とする請求項１，２または３記載の送風装置。
【請求項５】
前記給気ファンは、前記羽根車を回転駆動するファンモータを備え、
前記ファンモータは、少なくとも一部が装置本体より後方に突出して配置される
ことを特徴とする請求項４記載の送風装置。
【請求項６】
前記給気ファンは、前記羽根車の軸方向から空気を吸い込む屋外吸込口を備え、前記ファンモータは、前記屋外吸込口から後方に突出して、前記屋外吸込口と連通した壁の開口に入り込んで設置される
ことを特徴とする請求項５記載の送風装置。
【請求項７】
前記イオン発生器による正イオンと負イオンの発生の有無を切り換える制御手段を備えた
ことを特徴とする請求項１〜６に何れか記載の送風装置。
【請求項８】
請求項１乃至請求項７に何れか記載の送風装置と、
室内の空気を吸い込んで屋外に排気する排気装置と
を備えたことを特徴とする換気システム。
【請求項９】
請求項１乃至請求項７に何れか記載の送風装置と、
室内の空気を吸い込んで屋外に排気する排気装置とを備え、
前記送風装置と前記排気装置を異なる部屋に設置すると共に、部屋間で空気が流れる空気流入部を形成して、前記送風装置から前記排気装置へ至る風路を形成した
ことを特徴とする建物。
【請求項１０】
部屋の壁に取り付けられ、屋外の空気を室内の温度に近づけて室内に給気を行う熱交換型換気装置において、
屋外の空気を吸い込んで室内に給気する給気ファンと、
室内の空気を吸い込んで屋外へ排気する排気ファンと、
前記給気ファンで吸い込んだ屋外の空気と前記排気ファンで吸い込んだ室内の空気の間で熱交換を行う熱交換素子と、
前記給気ファンで吸い込まれて前記熱交換素子を通過した空気が通り、室内へと空気を吹き出す室内吹出口と連通した給気口連通風路と、
前記排気ファンで吸い込まれて前記熱交換素子を通過した空気が通り、屋外へ空気を排出する排気口と連通した排気口連通風路と、
正イオン及び負イオンを発生させ、前記給気口連通風路を通る空気にイオンを供給するイオン発生器と
を備えたことを特徴とする熱交換型換気装置。
【請求項１１】
前記熱交換素子は、室内へ給気する空気が通る給気風路が形成された熱交換素子材と、屋外へ排気する空気が通る排気風路が形成された熱交換素子材を、前記給気風路と前記排気風路が交差する向きとして交互に積層して構成され、前記給気風路を通る空気が吹き出す給気流出部を上向きとし、前記排気風路を通る空気が吹き出す排気流出部を下向きとした傾斜させた向きで、かつ、前記熱交換素子材の積層方向を装置本体の前後方向に沿った向きとして配置され、
前記給気口連通風路は、前記熱交換素子の前記給気流出部に沿った前後方向に形成され、装置本体の正面側で前記室内吹出口と連通し、
前記排気口連通風路は、前記熱交換素子の前記排気流出部に沿った前後方向に形成され、装置本体の背面側で前記排気口と連通した
ことを特徴とする請求項１０記載の熱交換型換気装置。
【請求項１２】
前記熱交換素子の前記排気流出部の下方に、結露水を回収するドレン部材を備え、前記ドレン部材の排水口を前記排気口と連通させた
ことを特徴とする請求項１１記載の熱交換型換気装置。
【請求項１３】
部屋の壁に形成した開口に、装置本体の少なくとも一部を埋め込んで設置される
ことを特徴とする請求項１０，１１または１２に記載の熱交換型換気装置。
【請求項１４】
前記イオン発生器による正イオンと負イオンの発生の有無を切り換える制御手段を備えた
ことを特徴とする請求項１０，１１，１２または１３に記載の熱交換型換気装置。
【発明の詳細な説明】
【技術分野】
【０００１】
本発明は、部屋の壁に取り付けられ、屋外の空気を室内の温度に近づけて室内に給気を行う送風装置及び熱交換型換気装置、送風装置を備えた換気システム及び建物に関する。詳しくは、室内へと吹き出す空気に正イオンと負イオンの双方を供給することで、部屋の空気の浄化を行えるようにしたものである。
【背景技術】
【０００２】
従来より、部屋の壁に取り付けられ、屋外の新鮮な空気を室内の供給する送風装置が提案されている。このような送風装置では、外気温と室内の温度の差がある場合に、給気に伴う部屋の温度の変化を抑えるため、外気に室内の空気を混合させて、外気の温度を室内の温度に近づける送風装置が提案されている（例えば、特許文献１参照）。
【０００３】
また、外気の温度を室内の温度に近づけるため、外気と室内の空気の間で熱交換を行う熱交換素子を備え、外気を室温に近づけて給気を行いながら換気を行う熱交換型換気装置が提案されている（例えば、特許文献２参照）。
【０００４】
【特許文献１】特開２００２−７１１８５号公報
【特許文献２】特開２００２−３１７９８９号公報
【発明の開示】
【発明が解決しようとする課題】
【０００５】
従来の送風装置や熱交換型換気装置では、空気を清浄するフィルタを通して外気を給気することで、給気される空気の浄化は行われる。しかし、給気される空気で部屋の空気を浄化する機能は備えていないという問題があった。
【０００６】
本発明は、このような課題を解決するためになされたもので、部屋の温度変化を抑えながら、部屋の空気の浄化を行えるようにした送風装置及び熱交換型換気装置、送風装置を備えた換気システム及び建物を提供することを目的とする。
【課題を解決するための手段】
【０００７】
上述した課題を解決するため、請求項１に係る発明の送風装置は、部屋の壁に取り付けられ、屋外の空気を室内の温度に近づけて室内に給気を行う送風装置において、屋外と室内の空気を吸い込んで室内に給気する給気ファンと、給気ファンで吸い込んだ屋外の空気と室内の空気を混合させる混合風路と、給気ファンで吸い込まれて混合風路を通過した空気が通り、室内へと空気を吹き出す室内吹出口と連通した吹出風路と、正イオン及び負イオンを発生させ、吹出風路を通る空気にイオンを供給するイオン発生器とを備えたことを特徴とする。
【０００８】
請求項２に係る発明の送風装置は、請求項１に記載された発明の送風装置において、吹出風路を通る空気を清浄するフィルタを備え、フィルタを室内吹出口に対して傾斜させて配置して、室内吹出口とフィルタとの間で室内吹出口の近傍にイオン放出空間を形成し、イオン発生器で、イオン放出空間にイオンを供給することを特徴とする。
【０００９】
請求項３に係る発明の送風装置は、請求項２に記載された発明の送風装置において、イオン発生器は、イオンの放出面がイオン放出空間を形成する吹出風路の壁部と略同一面となるように取り付けたことを特徴とする。
【００１０】
請求項４に係る発明の送風装置は、請求項１，２または請求項３に記載された発明の送風装置において、給気ファンは、回転駆動される羽根車の軸方向から空気を吸い込むと共に、羽根車の接線方向から空気を吹き出し、吹出風路は、給気ファンから吹き出した空気の流れを装置本体の正面方向へと曲げる風路形成部を備え、イオン発生器を、空気の曲がる方向に対して外側に配置したことを特徴とする。
【００１１】
請求項５に係る発明の送風装置は、請求項４に記載された発明の送風装置において、給気ファンは、羽根車を回転駆動するファンモータを備え、ファンモータは、少なくとも一部が装置本体より後方に突出して配置されることを特徴とする。
【００１２】
請求項６に係る発明の送風装置は、請求項５に記載された発明の送風装置において、給気ファンは、羽根車の軸方向から空気を吸い込む屋外吸込口を備え、ファンモータは、屋外吸込口から後方に突出して、屋外吸込口と連通した壁の開口に入り込んで設置されることを特徴とする。
【００１３】
請求項７に係る発明の送風装置は、請求項１乃至請求項６の何れかに記載された発明の送風装置において、イオン発生器による正イオンと負イオンの発生の有無を切り換える制御手段を備えたことを特徴とする。
【００１４】
請求項８に係る発明の換気システムは、請求項１乃至請求項７に何れか記載の送風装置と、室内の空気を吸い込んで屋外に排気する排気装置とを備えたことを特徴とする。
【００１５】
請求項９に係る発明の建物は、請求項１乃至請求項７に何れか記載の送風装置と、室内の空気を吸い込んで屋外に排気する排気装置とを備え、送風装置と排気装置を異なる部屋に設置すると共に、部屋間で空気が流れる空気流入部を形成して、送風装置から排気装置へ至る風路を形成したことを特徴とする。
【００１６】
請求項１０に係る発明の熱交換型換気装置は、部屋の壁に取り付けられ、屋外の空気を室内の温度に近づけて室内に給気を行う熱交換型換気装置において、屋外の空気を吸い込んで室内に給気する給気ファンと、室内の空気を吸い込んで屋外へ排気する排気ファンと、給気ファンで吸い込んだ屋外の空気と排気ファンで吸い込んだ室内の空気の間で熱交換を行う熱交換素子と、給気ファンで吸い込まれて熱交換素子を通過した空気が通り、室内へと空気を吹き出す室内吹出口と連通した給気口連通風路と、排気ファンで吸い込まれて熱交換素子を通過した空気が通り、屋外へ空気を排出する排気口と連通した排気口連通風路と、正イオン及び負イオンを発生させ、給気口連通風路を通る空気にイオンを供給するイオン発生器とを備えたことを特徴とする。
【００１７】
請求項１１に係る発明の熱交換型換気装置は、請求項１０に記載された発明の熱交換型換気装置において、熱交換素子は、室内へ給気する空気が通る給気風路が形成された熱交換素子材と、屋外へ排気する空気が通る排気風路が形成された熱交換素子材を、給気風路と排気風路が交差する向きとして交互に積層して構成され、給気風路を通る空気が吹き出す給気流出部を上向きとし、排気風路を通る空気が吹き出す排気流出部を下向きとした傾斜させた向きで、かつ、熱交換素子材の積層方向を装置本体の前後方向に沿った向きとして配置され、給気口連通風路は、熱交換素子の給気流出部に沿った前後方向に形成され、装置本体の正面側で室内吹出口と連通し、排気口連通風路は、熱交換素子の排気流出部に沿った前後方向に形成され、装置本体の背面側で排気口と連通したことを特徴とする。
【００１８】
請求項１２に係る発明の熱交換型換気装置は、請求項１１に記載された発明の熱交換型換気装置において、熱交換素子の排気流出部の下方に、結露水を回収するドレン部材を備え、ドレン部材の排水口を排気口と連通させたことを特徴とする。
【００１９】
請求項１３に係る発明の熱交換型換気装置は、請求項１０，１１または請求項１２に記載された発明の熱交換型換気装置において、部屋の壁に形成した開口に、装置本体の少なくとも一部を埋め込んで設置されることを特徴とする。
【００２０】
請求項１４に係る発明の熱交換型換気装置は、請求項１０，１１，１２または請求項１３に記載された発明の熱交換型換気装置において、イオン発生器による正イオンと負イオンの発生の有無を切り換える制御手段を備えたことを特徴とする。
【発明の効果】
【００２１】
本発明の送風装置によれば、屋外から吸い込んだ空気と室内から吸い込んだ空気を混合させ、正イオンと負イオンを供給して室内へと吹き出すので、新鮮な外気を室内の温度に近づけながら、正イオンと負イオンを含んだ空気として供給することができる。これにより、給気に伴う部屋の温度変化を抑えながら、部屋の空気を浄化することができる。
【００２２】
本発明の換気システムによれば、上述した送風装置を備えることで、給気に伴う部屋の温度変化を抑えながら、部屋の空気の浄化し、かつ換気を行うことができる。
【００２３】
本発明の建物によれば、上述した送風装置を備えることで、換気に伴う各部屋の温度変化を抑えながら、各部屋の空気を浄化することができる。
【００２４】
また、本発明の熱交換型換気装置によれば、屋外から吸い込んだ空気と室内から吸い込んだ空気の間で熱交換させ、外気に正イオンと負イオンを供給して室内へと吹き出すので、新鮮な外気を室内の温度に近づけながら、正イオンと負イオンを含んだ空気として供給することができる。これにより、換気に伴う部屋の温度変化を抑えながら、部屋の空気を浄化することができる。
【発明を実施するための最良の形態】
【００２５】
以下、図面を参照して本発明の送風装置、熱交換型換気装置、換気システム及び建物の実施の形態について説明する。
【００２６】
＜本実施の形態の送風装置の構成例＞
図１は本実施の形態の送風装置１の構成の一例を示す平面断面図、図２は本実施の形態の送風装置１の構成の一例を示す正面断面図、図３は本実施の形態の送風装置１の構成の一例を示す側断面図、図４は本実施の形態の送風装置１の構成の一例を示す外観斜視図である。
【００２７】
本実施の形態の送風装置１は、屋外及び室内の空気を吸い込んで室内に給気する給気ファン２と、給気ファン２で給気される空気に正イオンと負イオンを供給するイオン発生器３を備える。
【００２８】
送風装置１は、給気ファン２及びイオン発生器３等が本体ケース４に収容され、本体ケース４の正面にフロントパネル５が取り付けられて、部屋の壁Ｗに取り付けられる。
【００２９】
そして、送風装置１は、給気ファン２で吸い込んだ外気と室内の空気を混合させて、外気の温度を室内の温度に近づけ、室内の空気を混合させた外気にイオン発生器３で正イオンと負イオンを供給することで、正イオンと負イオンを含む新鮮な外気を室内に給気する。
【００３０】
給気ファン２は、シロッコファンと称される多翼ファンで、ファンモータ６に回転駆動される多翼の羽根車２ａと、風路を形成する給気ファンケース７を備える。給気ファン２は、羽根車２ａの回転軸が前後に水平な方向で配置され、羽根車２ａの回転軸方向に沿った給気ファンケース７の背面が開口して給気ファン吸込口７ａが形成される。
【００３１】
また、給気ファン２は、羽根車２ａの接線方向に沿って給気ファンケース７で囲われた吹出風路７ｂが形成される。給気ファンケース７は、給気ファン吸込口７ａの側方の背面を凸状として風路形成部７ｃが形成され、吹出風路７ｂは、風路形成部７ｃで本体ケース４の正面方向へと曲がっている。
【００３２】
そして、給気ファン２は、羽根車２ａが設けられている位置の側方の給気ファンケース７の正面側を開口して、吹出風路７ｂと連通した給気ファン吹出口７ｄが形成される。
【００３３】
なお、給気ファン２は外気を給気するファンと室内空気を循環させるファンとが別々のファンであっても良く、その際に各ファンを駆動するファンモータは同一であっても、別々であっても良い。
【００３４】
給気ファン２は、給気ファンケース７の吹出風路７ｂにフィルタ８を備える。フィルタ８は、例えば、フィルタ素材を蛇腹状にして形成され、折り目が横向きとなるように枠体に取り付けられる。
【００３５】
フィルタ８は、羽根車２ａに近い一方の端部は給気ファンケース７の正面側に位置し、他方の端部は給気ファンケース７の風路形成部７ｃ側であって後方に位置しており、フィルタ８は、一方の端部に対して他方の端部が後退する方向に傾斜して取り付けられる。
【００３６】
これにより、フィルタ８の前方で給気ファン吹出口７ｄとの間には、三角柱状のイオン放出空間９が形成される。なお、送風装置１の長期の使用により、フィルタ８は埃等で目詰りすることがあるので、定期的な交換が必要である。このため、フィルタ８は、例えば本体ケース４の下面から上下にスライド移動させて着脱できる構成となっている。
【００３７】
イオン発生器３は、イオン放出空間９を形成すると共に、風路形成部７ｃで曲がっている吹出風路７ｂの外側に位置する給気ファンケース７の側壁部に取り付けられる。
【００３８】
イオン発生器３は、イオンを発生する図示しないイオン放出面が給気ファンケース７の側壁部からイオン放出空間９を向いて露出し、かつ、イオン放出面が給気ファンケース７の側壁部と略同一面となるように取り付けられる。これにより、吹出風路７ｂにイオン発生器３が突出しない構成となっている。
【００３９】
イオン発生器３は、正イオンと負イオンの両方あるいは負イオンを発生する。正イオンと負イオンの発生の原理は、誘電体が介在するように対向させた一対の電極間に家庭用交流電源等から取った交流電圧を昇圧して印加することにより、コロナ放電を起こし、空気中の酸素ないしは水分が電離によりエネルギーを受けてイオン化し、Ｈ+（Ｈ2Ｏ）m（ｍは任意の自然数）と、Ｏ2-（Ｈ2Ｏ）n（ｎは任意の自然数）が主体のイオンを放出するものである。
【００４０】
これらＨ+（Ｈ2Ｏ）m及びＯ2-（Ｈ2Ｏ）nは、浮遊菌の表面に付着し、化学反応して活性種であるＨ2Ｏ2または・ＯＨを生成する。Ｈ2Ｏ2または・ＯＨは、極めて強力な活性を示すため、これらにより、空気中の浮遊細菌を取り囲んで不活化することができる。ここで、・ＯＨは活性種の１種であり、ラジカルのＯＨを示している。
【００４１】
これにより、給気ファン２の運転と連動させて略同数の正イオンと負イオンを発生させる正負イオン発生モードを備えて、略同数の正イオンと負イオンを含む空気を送風することで、給気する外気に含まれる浮遊細菌と部屋の空気中の浮遊細菌の双方を不活化して、室内の空気を浄化することができる。
【００４２】
なお、負イオンのみもしくは負イオンを正イオンより多く発生させるような負イオン発生モードを備えて、負イオンを含む空気を送風すると、精神を安定させ、呼吸器の機能を高める等のリラックス効果があると言われている。
【００４３】
本体ケース４は装置本体を構成し、奥行き方向の長さが短い直方体形状で、内部に給気ファン２が取り付けられ、給気ファン２の給気ファン吸込口７ａと対向した背面側に吸気ダクト１０を備える。吸気ダクト１０は、本体ケース４の背面側に突出して設けられ、吸気ダクト１０の内側に、給気ファン２を回転駆動するファンモータ６が取り付けられる。また、吸気ダクト１０は、給気ファン２の給気ファン吸込口７ａと連通する屋外吸込口１０ａが、ファンモータ６の周囲に形成される。
【００４４】
ファンモータ６は、本体ケース４の背面より外側に配置され、前方に伸びる軸６ａに羽根車２ａが取り付けられる。
【００４５】
本体ケース４は、給気ファン２とファンモータ６の間に混合風路１１を備えると共に、混合風路１１の例えば上面側を開口して室内吸込口４ａを備える。混合風路１１は、室内吸込口４ａ及び屋外吸込口１０ａと、給気ファン２の給気ファン吸込口７ａを連通し、給気ファン２で屋外吸込口１０ａから吸い込んだ屋外の空気と、室内吸込口４ａから吸い込んだ室内の空気を合流させて、外気と室内の空気を混合させる。
【００４６】
フロントパネル５は、正面側に室内吹出口５ａを備える。室内吹出口５ａは、給気ファン２の給気ファン吹出口７ｄと連通し、給気ファン２から給気される空気を室内へ向けて吹き出す。
【００４７】
本体ケース４は、背面側に屋外吸込口１０ａを開閉するシャッタ１２を備える。シャッタ１２は、例えば本体ケース４の下面に操作レバーを備え、本体ケース４の外部からの操作で、屋外吸込口１０ａの開閉が行われる。
【００４８】
＜本実施の形態の送風装置の制御機能例＞
図５は本実施の形態の送風装置１の制御系の一例を示す機能ブロック図であり、次に、本実施の形態の送風装置１の制御系の構成について説明する。
【００４９】
送風装置１は、ＣＰＵ等で構成される制御部１４を備え、制御部１４に、操作部１５と、図１等で説明したファンモータ６と、イオン発生器３等が接続される。
【００５０】
制御部１４は制御手段の一例で、操作部１５の操作に応じてファンモータ６及びイオン発生器３等を制御して、給気及び給気の停止と、イオンの発生の有無の切り換え等を行う。
【００５１】
操作部１５は、例えば送風装置１とは独立したリモートコントロール装置で、送風装置１の運転の開始及び運転の停止を切り換える操作ボタンと、イオンの発生の有無を切り換える操作ボタン等を備える。
【００５２】
＜本実施の形態の送風装置の設置例＞
次に、図１等を参照して本実施の形態の送風装置１の設置例について説明する。送風装置１は、壁Ｗに開けられた開口ＷＡに、吸気ダクト１０が挿入され、本体ケース４の背面が壁Ｗに取り付けられる。本体ケース４は、背面板に取付ネジ１３が挿入される貫通穴を備え、壁Ｗに取付ネジ１３によって固定される。
【００５３】
送風装置１は、給気ファン２を駆動するファンモータ６が、吸気ダクト１０の内部に取り付けられており、ファンモータ６は、壁Ｗの内部に突出した形態となる。なお、壁Ｗの屋外側には、図示しない屋外フードが取り付けられる。
【００５４】
これにより、本体ケース４の内部にファンモータ６を収容する空間が不要となり、本体ケース４の厚みを抑えることができる。そして、送風装置１は、壁Ｗに取り付けられるので、本体ケース４の厚みを抑えることで、壁Ｗからの突出量が抑えられ、外観性が向上する。
【００５５】
＜本実施の形態の送風装置が設置された建物例＞
図６は本実施の形態の送風装置１が設置された建物１６及び換気システム１７の一例を示す構成図で、次に、送風装置１を備えた建物１６及び換気システム１７の実施の形態について説明する。
【００５６】
建物１６は、例えば一戸建ての住宅であり、本例では、２階建ての住宅を示している。建物１６は、例えば１階にはリビングルームＲ１と、トイレＲ２と、洗面脱衣所Ｒ３と、浴室Ｒ４を備える。また、建物１６は、２階には居室Ｒ５，Ｒ６と、廊下Ｒ７と、トイレＲ８を備える。なお、各部屋の配置は一例である。
【００５７】
送風装置１は、１階のリビングルームＲ１の壁Ｗと、２階の居室Ｒ５，Ｒ６の壁Ｗに設置される。また、１階のトイレＲ２と、洗面脱衣所Ｒ３と、浴室Ｒ４と、２階の廊下Ｒ７と、トイレＲ８は、壁Ｗに排気ファン１８が設置される。ここで、排気ファン１８は排気装置の一例で、本例ではパイプファンと称されて壁Ｗに取り付けられる形態のファンを使用している。
【００５８】
送風装置１及び排気ファン１８が設置される壁Ｗは、屋外に面している壁面であり、天井へのダクト等の設置を行わず、外気の取り入れ及び室内の空気の排気が行える構成である。
【００５９】
建物１６は、各部屋の間に空気流入部を構成するドアアンダーカットＵあるいは必要に応じて換気ガラリＤを備えて、部屋間で空気が通る風路Ｆが形成される構成である。これにより、送風装置１で外気を給気すると共に、排気ファン１８で室内の空気を排気する換気システム１７が構成される。
【００６０】
＜本実施の形態の送風装置及び換気システムの動作例＞
次に、各図を参照して本実施の形態の送風装置１及び換気システム１７の動作について説明する。
【００６１】
まず、送風装置１の動作について説明すると、送風装置１は、操作部１５で運転の開始が指示されると、制御部１４によってファンモータ６が駆動される。また、イオンの発生を連動させる場合は、制御部１４によってイオン発生器３が駆動される。
【００６２】
送風装置１は、ファンモータ６が駆動されると、給気ファン２の羽根車２ａが回転することで、給気ファンケース７の給気ファン吸込口７ａから空気が吸い込まれる。
【００６３】
給気ファンケース７の給気ファン吸込口７ａから空気が吸い込まれると、給気ファン吸込口７ａと混合風路１１を介して連通している屋外吸込口１０ａから外気ＯＡが吸い込まれると共に、給気ファン吸込口７ａと混合風路１１を介して連通している室内吸込口４ａから室内の空気ＲＡが吸い込まれる。
【００６４】
屋外吸込口１０ａから吸い込まれた外気ＯＡと室内吸込口４ａから吸い込まれた室内の空気ＲＡは、混合風路１１で合流して、外気ＯＡと室内の空気ＲＡが混合される。
【００６５】
室内の空気ＲＡが混合された外気（以下、混合外気と称す）ＯＡは、吹出風路７ｂを通ってフィルタ８を通過する。混合外気ＯＡは、フィルタ８を通過することで、塵や埃等が除去される。
【００６６】
さて、イオン発生器３が駆動されると、ここでは略同数の正イオンと負イオンの双方がイオン放出空間９に放出される。これにより、フィルタ８を通過した混合外気ＯＡに、正イオンと負イオンの双方が供給される。そして、イオン放出空間９を通過して正イオンと負イオンの双方を含む混合外気ＯＡは、給気ファン２の給気ファン吹出口７ｄを介して、フロントパネル５の室内吹出口５ａから吹き出される。
【００６７】
これにより、図６に示す建物１６では、１階のリビングルームＲ１と２階の居室Ｒ５，Ｒ６に、正イオンと負イオンを含む混合外気ＯＡが給気される。
【００６８】
さて、イオンを含む空気がフィルタ８を通過する構成では、イオンがフィルタ８で除去されてしまう可能性がある。このため、イオン発生器３は、フィルタ８の下流側に配置される構成とする。そして、吹出風路７ｂに対してフィルタ８を傾斜させることで、本体ケース４の厚みを増加させることなく、フィルタ８の下流側である前方にイオン放出空間９を形成して、イオン発生器３を取り付けることが可能となる。
【００６９】
また、吹出風路７ｂは、給気ファン２の羽根車２ａの接線方向に形成されるため、羽根車２ａに近い部分は開口面積が狭い。このため、フィルタ８を傾斜させて取り付けることで、フィルタ８の開口面積を大きくして、通気抵抗を減らしている。
【００７０】
更に、イオン発生器３は、イオン放出面が給気ファンケース７の側壁部と略同一面となるように取り付けられており、イオン放出空間９において吹出風路７ｂにイオン発生器３が突出しない。これにより、イオン発生器３が通気抵抗となることを防ぐことができる。
【００７１】
また、イオン発生器３は、吹出風路７ｂを形成する給気ファンケース７において、吹出風路７ｂの曲がっている部分の外側の側壁部に取り付けられている。曲がっている吹出風路７ｂでは、内側より外側のほうが風量が多い。このため、曲がっている吹出風路７ｂの外側にイオン発生器３を取り付けることで、風量が多い部分にイオンの供給が可能である。
【００７２】
次に、送風装置１の動作と連動した換気システム１７の動作について説明する。建物１６に設置される換気システム１７では、排気ファン１８によって、１階ではトイレＲ２と洗面脱衣所Ｒ３と浴室Ｒ４から室内の空気が排気される。また、２階では、廊下Ｒ７とトイレＲ８から室内の空気が排気される。
【００７３】
これにより、建物１６の１階では、送風装置１によってリビングルームＲ１に正イオンと負イオンの双方を含む混合外気ＯＡが給気され、リビングルームＲ１の空気がドアアンダーカットＵ及び換気ガラリＤを通って吸気されて、トイレＲ２と洗面脱衣所Ｒ３と浴室Ｒ４から排気される。
【００７４】
また、建物１６の２階では、送風装置１によって居室Ｒ５に正イオンと負イオンの双方を含む混合外気ＯＡが給気され、居室Ｒ５の空気がドアアンダーカットＵを通って吸気されて、廊下Ｒ７から排気される。更に、送風装置１によって居室Ｒ６に正イオンと負イオンの双方を含む混合外気ＯＡが給気され、居室Ｒ６の空気がドアアンダーカットＵを通って吸気されて、廊下Ｒ７とトイレＲ８から排気される。
【００７５】
そして、換気システム１７では、送風装置１と排気ファン１８で所定換気回数を満たす風量を備えることで、各階ごとの２４時間換気が行われる。
【００７６】
さて、空気調和された室内の空気は、夏季は外気より温度が低く、冬季は外気より温度が高い。混合風路１１では、外気ＯＡに室内の空気ＲＡを混合させることで、夏季は、温度の高い外気ＯＡに温度の低い室内の空気ＲＡが混合されて、外気ＯＡの温度が下げられる。また、冬季は、温度の低い外気ＯＡに温度の高い室内の空気ＲＡが混合されて、外気ＯＡの温度が上げられる。
【００７７】
これにより、送風装置１では、外気ＯＡを室内の温度に近づけて給気を行うことができ、夏季は換気に伴う温度上昇を防ぎ、冬季は換気に伴う温度低下を防ぐことができる。
【００７８】
更に、各部屋に正イオンと負イオンの双方を含む混合外気ＯＡが給気されるので、給気される混合外気及び部屋の空気中の浮遊細菌を不活性化して、例えばカビの発生等を抑え、部屋の空気の浄化を行うことができる。
【００７９】
なお、送風装置１では、イオン発生器３によるイオンの発生を停止して、イオンを含まない混合外気を給気することもできる。また、負イオンのみあるいは負イオンを正イオンより多く発生させて、主に負イオンを含む混合外気を給気して、リラックス効果を得ることもできる。
【００８０】
更に、雨や風が強いときは、シャッタ１２を閉じることで、屋外吸込口１０ａからの風雨の侵入を防ぐ。ここで、シャッタ１２を閉じた場合は、外気は吸い込まれず、室内の空気を循環させる状態となる。
【００８１】
＜本実施の形態の熱交換型換気装置の構成例＞
図７は本実施の形態の熱交換型換気装置２１の構成の一例を示す正面図、図８は本実施の形態の熱交換型換気装置２１の構成の一例を示す背面図、図９は本実施の形態の熱交換型換気装置２１の構成の一例を示す側断面図、図１０は本実施の形態の熱交換型換気装置２１の構成の一例を示す平面断面図である。また、図１１は本実施の形態の熱交換型換気装置２１の構成の一例を示す正面上方から見た斜視図、図１２は本実施の形態の熱交換型換気装置２１の構成の一例を示す背面下方から見た斜視図、図１３は本実施の形態の熱交換型換気装置２１の構成の一例を示す分解斜視図である。
【００８２】
本実施の形態の熱交換型換気装置２１は、屋外の空気を吸い込んで室内に給気する給気ファン２２と、室内の空気を吸い込んで屋外へ排気する排気ファン２３と、給気ファン２２で吸い込んだ外気と排気ファン２３で吸い込んだ室内の空気の間で熱交換を行う熱交換素子２４と、給気ファン２２で給気される熱交換素子２４を通過した空気に正イオンと負イオンを供給するイオン発生器２５を備える。
【００８３】
熱交換型換気装置２１は、給気ファン２２、排気ファン２３、熱交換素子２４及びイオン発生器２５等が本体ケース２６に収容され、本体ケース２６の正面にフロントパネル２７が取り付けられて、フロントパネル２７を部屋の壁Ｗから露出させ、本体ケース２６を壁Ｗに埋め込んだ形態で壁Ｗに取り付けられる。
【００８４】
そして、熱交換型換気装置２１は、給気ファン２２で吸い込んだ外気と排気ファン２３で吸い込んだ室内の空気との間で熱交換素子２４によって熱交換を行って、外気の温度を室内の温度に近づけ、外気にイオン発生器２５で正イオンと負イオンを供給することで、正イオンと負イオンを含む新鮮な外気を室内に給気する。
【００８５】
本体ケース２６は装置本体を構成し、正面が開口した直方体形状で、内部が熱交換素子２４で仕切られて後述する各風路が形成される。また、本体ケース２６は、正面の左右両側に取付フランジ部２６ａを備える。取付フランジ部２６ａは、本体ケース２６の側面から突出して形成され、複数の取付穴２６ｂを備える。
【００８６】
フロントパネル２７は、本体ケース２６の正面を覆う形状を有し、例えば上面側に室内吸込口２７ａと室内吹出口２７ｂを備える。室内吸込口２７ａと室内吹出口２７ｂはそれぞれ例えばスリット状で、横方向に並んで形成される。
【００８７】
給気ファン２２及び排気ファン２３はシロッコファンと称される多翼ファンで、給気ファン２２は、ファンモータ２８に回転駆動される多翼の羽根車２２ａと、風路を形成する給気ファンケース２９を備える。また、排気ファン２３は、ファンモータ２８に回転駆動される多翼の羽根車２３ａと、風路を形成する排気ファンケース３０を備える。
【００８８】
ファンモータ２８は両軸のモータで、軸が水平な向きで前後に突出しており、前方の軸に排気ファン２３の羽根車２３ａが取り付けられると共に、後方の軸に給気ファン２２の羽根車２２ａが取り付けられる。これにより、給気ファン２２と排気ファン２３は、排気ファン２３を正面側として前後に並べて配置される。
【００８９】
給気ファンケース２９は、羽根車２２ａの軸方向で本体ケース２６の背面側に給気ファン吸込口２９ａを備えると共に、羽根車２２ａの接線方向に給気ファン吹出口２９ｂを備える。給気ファン吸込口２９ａは、本体ケース２６の背面に形成した開口部と連通し、屋外吸込口を構成する。
【００９０】
排気ファンケース３０は、羽根車２３ａの軸方向で本体ケース２６の正面側に排気ファン吸込口３０ａを備えると共に、羽根車２３ａの接線方向に排気ファン吹出口３０ｂを備える。
【００９１】
給気ファン吹出口２９ｂ及び排気ファン吹出口３０ｂは、給気ファン２２及び排気ファン２３の側方に形成され、熱交換素子２４が取り付けられる本体ケース２６の風路形成室３１と連通する。給気ファン吹出口２９ｂ及び排気ファン吹出口３０ｂは、排気ファン吹出口３０ｂが給気ファン吹出口２９ｂより上側でかつ正面側に形成される。
【００９２】
熱交換素子２４は、熱伝導性を有する材質で形成され、給気風路２４ａが並列して形成された熱交換素子材２４ｃと、排気風路２４ｂが並列して形成された熱交換素子材２４ｄとを、給気風路２４ａと排気風路２４ｂが直交する向きとして交互に積層して直方体状に構成したものである。各給気風路２４ａと各排気風路２４ｂは、熱交換素子材の隔壁で遮蔽されており、給気風路２４ａと排気風路２４ｂの間では空気は流れず、熱が伝導する。
【００９３】
熱交換素子２４は、給気風路２４ａと連通する一の面が給気流入部３２ａとなり、給気流入部３２ａと直交し、排気風路２４ｂと連通する面が排気流入部３３ａとなる。また、給気流入部３２ａと対向し、給気風路２４ａと連通する面が給気流出部３２ｂとなり、排気流入部３３ａと対向し、排気風路２４ｂと連通する面が排気流出部３３ｂとなる。
【００９４】
熱交換素子２４は、各流入部及び流出部を正面から見て４５度に傾斜させた向きで、かつ、給気流入部３２ａが下側に位置して給気ファン２２の給気ファン吹出口２９ｂと対向し、排気流入部３３ａが上側に位置して排気ファン２３の排気ファン吹出口３０ｂと対向する向きで、各角部がガイド部材３４で支持されて、風路形成室３１に取り付けられる。
【００９５】
風路形成室３１は、ガイド部材３４に熱交換素子２４が取り付けられると、本体ケース２６の内部が熱交換素子２４により仕切られて風路が形成される。すなわち、風路形成室３１は、熱交換素子２４が取り付けられると、給気ファン吹出口２９ｂと連通した給気フィルタ取付風路３５が、熱交換素子２４の給気流入部３２ａと対向する本体ケース２６の下部に形成される。
【００９６】
また、風路形成室３１は、熱交換素子２４の給気風路２４ａを介して給気フィルタ取付風路３５と連通した給気口連通風路３６が、熱交換素子２４の給気流出部３２ｂと対向する本体ケース２６の上部に形成される。
【００９７】
更に、風路形成室３１は、排気ファン吹出口３０ｂと連通した排気フィルタ取付風路３７が、熱交換素子２４の排気流入部３３ａと対向する本体ケース２６の上部に形成される。
【００９８】
また、風路形成室３１は、熱交換素子２４の排気風路２４ｂを介して排気フィルタ取付風路３７と連通した排気口連通風路３８が、熱交換素子２４の排気流出部３３ｂと対向する本体ケース２６の下部に形成される。
【００９９】
上下方向に隣り合う給気フィルタ取付風路３５と排気フィルタ取付風路３７は、熱交換素子２４及びガイド部材３４で遮蔽される。同様に、上下方向に隣り合う給気口連通風路３６と排気口連通風路３８は、熱交換素子２４及びガイド部材３４で遮蔽される。また、左右方向に隣り合う給気フィルタ取付風路３５と排気口連通風路３８、及び、排気フィルタ取付風路３７と給気口連通風路３６は、熱交換素子２４及びガイド部材３４で遮蔽される。
【０１００】
排気ファン吸込口３０ａは、フロントパネル２７の室内吸込口２７ａと連通する。ここで、フロントパネル２７の内側において、室内吸込口２７ａと室内吹出口２７ｂの間は図示しない仕切りによって仕切られており、装置内において室内吸込口２７ａと室内吹出口２７ｂの間で空気の流れは発生しない。
【０１０１】
給気口連通風路３６は、正面側がフロントパネル２７の室内吹出口２７ｂと連通する。これに対して、給気フィルタ取付風路３５、排気フィルタ取付風路３７及び排気口連通風路３８の正面側は、図示しないカバーで塞がれており、室内吹出口２７ｂと連通しない。また、給気フィルタ取付風路３５、給気口連通風路３６及び排気フィルタ取付風路３７の背面側は、本体ケース２６で塞がれている。
【０１０２】
排気口連通風路３８は、本体ケース２６の背面側に排気口３９を備える。本体ケース２６の背面側において、外気を吸い込む給気ファン吸込口２９ａと、室内の空気を吹き出す排気口３９は、独立して形成される。
【０１０３】
排気口３９は、排気口連通風路３８が熱交換素子２４の排気流出部３３ｂと対向する本体ケース２６の下部に形成されるため、本体ケース２６の背面の下部に形成される。
【０１０４】
また、排気口連通風路３８は、底面にドレンパン４０を備える。ドレンパン４０はドレン部材の一例で、排気口３９方向へ徐々に下がるように傾斜しており、排気口３９と連通した排水口４０ａから、ドレンパン４０で集めた水を屋外へ排水する。なお、ドレンパン４０は着脱できる構成として、掃除が行えるようにしても良い。
【０１０５】
イオン発生器２５は、例えば給気口連通風路３６の上面側の本体ケース２６に取り付けられる。イオン発生器２５は、イオンを発生する図示しないイオン放出面が本体ケース２６の上面から給気口連通風路３６を向いて露出し、かつ、イオン放出面が本体ケース２６の上面と略同一面となるように取り付けられる。これにより、給気口連通風路３６にイオン発生器２５が突出しない構成となっている。なお、イオン発生器２５の機能は、図１等で説明した送風装置１のイオン発生器３と同じであり、正イオンと負イオンの両方あるいは負イオンを発生する。
【０１０６】
＜フィルタの構成例＞
熱交換型換気装置２１は、給気フィルタ取付風路３５に給気フィルタ４１を備えると共に、排気フィルタ取付風路３７に排気フィルタ４２を備える。
【０１０７】
図１４は給気フィルタ４１の一例を示す構成図であり、図１４（ａ）は側面図、図１４（ｂ）は斜視図である。給気フィルタ４１は、フィルタ部４１ａと、フィルタ部４１ａを支持する枠体４１ｂと、枠体４１ｂと一体に形成された虫取皿部４１ｃを備える。
【０１０８】
フィルタ部４１ａは、フィルタ素材を蛇腹状にして形成され、折り目が例えば横向きとなるように枠体４１ｂに取り付けられる。枠体４１ｂは、図７等に示す熱交換素子２４の給気流入部３２ａの傾斜に合わせて、フィルタ部４１ａを傾斜させて支持する。
【０１０９】
給気フィルタ４１は、フィルタ部４１ａを熱交換素子２４の給気流入部３２ａの傾斜に合わせて斜めに配置することで、フィルタ部４１の面積を、熱交換素子２４の給気流入部３２ａとほぼ同じとすることができる。
【０１１０】
虫取皿部４１ｃは異物受け部を構成し、傾斜したフィルタ部４１ａの下部に形成される。虫取皿部４１ｃは、一方の端部は枠体４１ｂの下端とつながり、他方の端部は、フィルタ部４１ａの上端の水平方向の位置と略同等の位置まで略水平方向に延びている。また、虫取皿部４１ｃの幅は、フィルタ部４１ａの幅と略同等である。これにより、虫取皿部４１ｃは、フィルタ部４１ａの下部全体を覆う大きさを有する。
【０１１１】
虫取皿部４１ｃと枠体４１ｂは、幅方向の両側がサイドガイド４１ｄにより一体となり、虫取皿部４１ｃの幅方向の両側がサイドガイド４１ｄで覆われる。また、虫取皿部４１ｃの他方の端部は、斜め方向に立ち上がるフラップ部４１ｅが形成される。なお、フラップ部４１ｅは、虫取皿部４１ｃに落ちた虫等の落下を防ぐと共に、風の流れを妨げないように角度等が設定されている。
【０１１２】
給気フィルタ４１は枠体４１ｂの側部に把手４１ｆが形成され、給気フィルタ４１の交換時は、把手４１ｆを把持して給気フィルタ４１の着脱が行われる。
【０１１３】
図７等に示す排気フィルタ４２は、給気フィルタ４１のフィルタ部４１ａと同等のフィルタが、四角形状の枠体に取り付けられて構成され、虫取皿部等を備えず平板状である。
【０１１４】
給気フィルタ４１は、給気フィルタ取付風路３５に形成した給気フィルタガイド部材４３にガイドされて、給気フィルタ取付風路３５に着脱自在に取り付けられる。給気フィルタ４１は、図１４に示すフィルタ部４１ａが、図７に示すように熱交換素子２４の給気流入部３２ａと対向し、虫取皿部４１ｃが給気フィルタ取付風路３５の下面に配置される向きで、給気フィルタガイド部材４３に支持される。
【０１１５】
給気フィルタガイド部材４３は、給気フィルタ４１を熱交換素子２４の延在方向に沿ってスライド移動できるように支持しており、給気フィルタ４１は、熱交換素子２４の延在方向に沿ってスライド移動させて、給気フィルタ取付風路３５に対して着脱される。
【０１１６】
排気フィルタ４２は、排気フィルタ取付風路３７に形成した排気フィルタガイド部材４４にガイドされて、排気フィルタ取付風路３７に着脱自在に取り付けられる。
【０１１７】
排気フィルタ４２は、熱交換素子２４の排気流入部３３ａと対向する向きで、排気フィルタガイド部材４４に支持される。排気フィルタガイド部材４４は、排気フィルタ４２を熱交換素子２４の延在方向に沿ってスライド移動できるように支持しており、排気フィルタ４２は、熱交換素子２４の延在方向に沿ってスライド移動させて、排気フィルタ取付風路３７に対して着脱される。
【０１１８】
＜シャッタの構成例＞
熱交換型換気装置２１は、図８に示すように、本体ケース２６の背面側の給気ファン吸込口２９ａを開閉自在に遮蔽する給気口シャッタ４５を備えると共に、排気口３９を開閉自在に遮蔽する排気口シャッタ４６を備える。
【０１１９】
図１５はシャッタの構成の一例を示す背面図で、本体ケース２６の背面側の内部構成を示す。ここで、図１５（ａ）はシャッタを開けた状態を示し、図１５（ｂ）はシャッタを閉じた状態を示す。
【０１２０】
給気口シャッタ４５は、給気ファン吸込口２９ａを遮蔽するシャッタ部４５ａと、シャッタ部４５ａの移動をガイドするガイド部４５ｂと、排気口シャッタ４６へ駆動力を伝達するラック部４５ｃと、シャッタ部４５ａを移動させる把手部４５ｄが例えば一体に形成される。
【０１２１】
シャッタ部４５ａは、給気ファン吸込口２９ａの形状に合わせて例えば円形で、給気ファン吸込口２９ａを塞ぐ大きさを有する。ガイド部４５ｂは、本体ケース２６に備えた図示しないガイドレールにガイドされて、給気口シャッタ４５の全体を左右方向に移動可能に支持する。ラック部４５ｃは、給気口シャッタ４５の移動方向に沿って延在する。
【０１２２】
把手部４５ｄは、本体ケース２６の背面側に位置する給気口シャッタ４５を、フロントパネル２７側で操作するため、図１２に示すように本体ケース２６の正面に向けて延在している。把手部４５ｄの先端は、フロントパネル２７の下部に露出しており、装置正面側での操作が可能である。なお、把手部４５ｄを露出させず、フロントパネル２７を取り外してから操作するようにしても良い。
【０１２３】
排気口シャッタ４６は、排気口３９を遮蔽するシャッタ部４６ａと、給気口シャッタ４５から駆動力を受けてシャッタ部４６ａを移動させるギア部４６ｂが例えば一体に形成される。
【０１２４】
シャッタ部４６ａは、排気口３９の形状に合わせて例えば半円形で、排気口３９を塞ぐ大きさを有する。ギア部４６ｂは、給気口シャッタ４５のラック部４５ｃと噛み合う円弧状の平ギアが、本体ケース２６に備えた軸４６ｃを支点に回転できるように構成され、ギア部４６ｂが回転すると、シャッタ部４６ａは軸４６ｃを支点とした回転動作を行う。
【０１２５】
＜本実施の形態の熱交換型換気装置の制御機能例＞
図１６は本実施の形態の熱交換型装置２１の制御系の一例を示す機能ブロック図であり、次に、本実施の形態の熱交換型装置２１の制御系の構成について説明する。
【０１２６】
熱交換型換気装置２１は、ＣＰＵ等で構成される制御部４７を備え、制御部４７に、操作部４８と、図１０等で説明したファンモータ２８と、イオン発生器２５等が接続される。
【０１２７】
制御部４７は制御手段の一例で、操作部４８の操作に応じてファンモータ２８及びイオン発生器２５等を制御して、換気及び換気の停止と、イオンの発生の有無の切り換え等を行う。
【０１２８】
操作部４８は、例えば熱交換型換気装置２１とは独立したリモートコントロール装置で、熱交換型換気装置２１の運転の開始及び運転の停止を切り換える操作ボタンと、イオンの発生の有無を切り換える操作ボタン等を備える。
【０１２９】
＜本実施の形態の送風装置の設置例＞
次に、図９，図１０等を参照して本実施の形態の熱交換型換気装置２１の設置例について説明する。熱交換型換気装置２１は、壁Ｗに開けられた開口ＷＡに、本体ケース２６が嵌められる。壁Ｗに形成される開口部ＷＡは、本体ケース２６が嵌り、かつ、本体ケース２６の取付フランジ部２６ａが突き当たる大きさを有する。
【０１３０】
また、熱交換型換気装置２１は、本体ケース２６の背面に、給気ファン吸込口２９ａと連通する吸気ダクト４９と、排気口３９と連通する排気ダクト５０が取り付けられ、吸気ダクト４９と排気ダクト５０は、建物の外壁Ｗｏに開けられた穴部に挿入される。
【０１３１】
熱交換型換気装置２１は、本体ケース２６を壁Ｗの開口ＷＡに嵌め、取付フランジ部２６ａの取付穴２６ｂに取付ネジ５１を通して、取付ネジ５１を壁Ｗに締め付けることで、本体ケース２６を取付フランジ部２６ａで壁Ｗに固定する。
【０１３２】
そして、フロントパネル２７を本体ケース２６の正面に装着する。また、吸気ダクト４９及び排気ダクト５０に屋外フード５２を装着する。
【０１３３】
これにより、熱交換型換気装置２１は、本体ケース２６の全体が壁Ｗの内部に埋め込まれ、フロントパネル２７が部屋側に突出した形態となる。従って、壁Ｗからの突出量が少なく抑えられ、熱交換型換気装置２１を目立たない状態で設置でき、外観性が向上する。
【０１３４】
＜本実施の形態の送風装置が設置された建物例＞
図１７は本実施の形態の熱交換型換気装置２１が設置された建物５３の一例を示す構成図で、次に、熱交換型換気装置２１を備えた建物５３の実施の形態について説明する。
【０１３５】
建物５３は、例えば一戸建ての住宅であり、本例では、２階建ての住宅を示している。建物５３は、例えば１階にはリビングルームＲ１と、トイレＲ２と、洗面脱衣所Ｒ３と、浴室Ｒ４を備える。また、建物５３は、２階には居室Ｒ５，Ｒ６と、廊下Ｒ７を備える。なお、各部屋の配置は一例である。
【０１３６】
熱交換型換気装置２１は、１階のリビングルームＲ１の壁Ｗと、２階の居室Ｒ５，Ｒ６の壁Ｗに設置される。熱交換型換気装置２１が設置される壁Ｗは、屋外に面している壁面であり、天井へのダクト等の設置を行わず、外気の取り入れ及び室内の空気の排気が行える構成である。
【０１３７】
なお、図示しないが、トイレ等に排気ファンを備えて、室内の空気を排気できるようにしてもよい。
【０１３８】
＜熱交換型換気装置の動作例＞
次に、各図を参照して本実施の形態の熱交換型換気装置２１の動作について説明する。なお、換気動作中は、給気口シャッタ４５は給気ファン吸込口２９ａを開放し、排気口シャッタ４６は排気口３９を開放している。
【０１３９】
熱交換型換気装置２１は、操作部４８で運転の開始が指示されると、制御部４７によってファンモータ２８が回転駆動される。また、イオンの発生を連動させる場合は、制御部４７によってイオン発生器２５が駆動される。
【０１４０】
熱交換型換気装置２１は、ファンモータ２８が回転駆動されると、給気ファン２２の羽根車２２ａと排気ファン２３の羽根車２３ａが回転する。
【０１４１】
給気ファン２２の羽根車２２ａが回転すると、本体ケース２６の背面側の給気ファン吸込口２９ａから、吸気ダクト４９を介して屋外の空気（外気ＯＡ）が吸い込まれる。給気ファン吸込口２９ａから吸い込まれた外気は、給気ファンケース２９を通り、給気ファン吹出口２９ｂから給気フィルタ取付風路３５に吹き出す。
【０１４２】
給気フィルタ取付風路３５に吹き出した外気は、給気フィルタ４１を通り、熱交換素子２４の給気流入部３２ａから給気風路２４ａを通って、給気流出部３２ｂから給気口連通風路３６に吹き出す。
【０１４３】
さて、イオン発生器２５が駆動されると、ここでは略同数の正イオンと負イオンの双方が給気口連通風路３６に放出される。これにより、熱交換素子２４を通過した外気に、正イオンと負イオンの双方が供給される。そして、給気口連通風路３６に吹き出し、正イオンと負イオンの双方を含む外気は、フロントパネル２７の室内吹出口２７ｂから室内に吹き出す。
【０１４４】
これにより、図１７に示す建物５３では、１階のリビングルームＲ１と２階の居室Ｒ５，Ｒ６に、正イオンと負イオンを含む外気ＯＡが給気ＳＡとして供給される。
【０１４５】
排気ファン２３の羽根車２３ａが回転すると、フロントパネル２７の室内吸込口２７ａを介して、室内の空気ＲＡが排気ファン吸込口３０ａから吸い込まれる。排気ファン吸込口３０ａから吸い込まれた室内の空気は、排気ファンケース３０を通り、排気ファン吹出口３０ｂから排気フィルタ取付風路３７に吹き出す。
【０１４６】
排気フィルタ取付風路３７に吹き出した室内の空気は、排気フィルタ４２を通り、熱交換素子２４の排気流入部３３ａから排気風路２４ｂを通って、排気流出部３３ｂから排気口連通風路３８に吹き出す。
【０１４７】
そして、排気口連通風路３８に吹き出した室内の空気は、本体ケース２６の背面側の排気口３９から、排気ダクト５０を介して屋外へ排気ＥＡとして排出される。
【０１４８】
さて、空気調和された室内の空気は、夏季は外気より温度が低く、冬季は外気より温度が高い。熱交換素子２４では、給気風路２４ａを通る外気と排気風路２４ｂを通る室内の空気の間で熱交換を行うことで、夏季は、温度の高い外気と冷却された室内の空気の間で熱交換が行われ、外気の温度が下げられる。また、冬季は、温度の低い外気と暖房された室内の空気の間で熱交換が行われ、外気の温度が上げられる。
【０１４９】
これにより、熱交換型換気装置２１では、外気ＯＡを室内の温度に近づけて給気を行いながら、室内の換気を行うことができ、夏季は換気に伴う温度上昇を防ぎ、冬季は換気に伴う温度低下を防ぐことができる。なお、熱交換素子２４としては、温度と湿度の両方を交換できる全熱交換素子でも良い。
【０１５０】
そして、熱交換型換気装置２１が設置された図１７に示すリビングルームＲ１と居室Ｒ５，Ｒ６に対して、各熱交換型換気装置２１が所定換気回数を満たす風量を備えることで、各部屋の２４時間換気が行われる。
【０１５１】
また、各部屋に正イオンと負イオンの双方を含む外気ＯＡが給気されるので、給気される外気及び部屋の空気中の浮遊細菌を不活性化して、例えばカビの発生等を抑え、部屋の空気の浄化を行うことができる。
【０１５２】
なお、熱交換型換気装置２１では、イオン発生器２５によるイオンの発生を停止して、イオンを含まない外気を給気することもできる。また、負イオンのみあるいは負イオンを正イオンより多く発生させて、主に負イオンを含む外気を給気して、リラックス効果を得ることもできる。
【０１５３】
夏季等に熱交換型換気装置２１を使用すると、給気ファン２２によって吸い込んだ外気中に虫等の異物が入り込んでいる場合がある。熱交換型換気装置２１では、外気中の異物は給気フィルタ４１で捕獲して、熱交換素子２４の給気風路２４ａに入り込まないようにしている。
【０１５４】
給気フィルタ４１で捕獲した異物は、フィルタ部４１ａに付着した状態となると目詰まりを起こすので、フィルタ部４１ａを下向きに傾けて配置することで、フィルタ部４１ａで付着した異物を下に落とす。
【０１５５】
上述したように、熱交換素子２４は、各流入部及び流出部を正面から見て４５度に傾斜させた向きで、かつ、給気流入部３２ａを下側に位置させているので、給気フィルタ４１は、図１４に示す空気の流れＥに対してフィルタ部４１ａを下向きに傾斜させて、熱交換素子２４の給気流入部３２ａの入口に配置することができる。
【０１５６】
これにより、給気フィルタ４１では、フィルタ部４１ａに付着した異物を下に落とすことができ、フィルタ部４１ａの短期間での目詰まりの発生を防ぎ、風路抵抗を減らして効率を上げることができる。
【０１５７】
給気フィルタ４１は、傾斜したフィルタ部４１ａの下側に虫取皿部４１ｃを備えており、フィルタ部４１ａから落ちた異物は、虫取皿部４１ｃで集められ、給気フィルタ取付風路３５内に直接落ちることはない。
【０１５８】
また、虫取皿部４１ｃは、異物等の落下を防ぐために備えたフラップ部４１ｅで、フィルタ部４１ａに空気が流れるような風路を形成することで、風路抵抗を減らして効率を上げることができる。
【０１５９】
ここで、排気フィルタ４２は、室内の空気が通るので、虫等の異物の付着は少ない。よって、給気フィルタ４１のように、付着した異物を除去するための構成等は特に必要ではない。
【０１６０】
なお、熱交換型換気装置２１の長期の使用により、給気フィルタ４１及び排気フィルタ４２は埃等で目詰りすることがあるので、定期的な交換が必要である。本例の熱交換型換気装置２１では、給気フィルタ４１は、給気フィルタガイド部材４３によって熱交換素子２４の延在方向に沿って前後方向にスライド移動できるように支持されている。
【０１６１】
これにより、給気フィルタ４１は、熱交換素子２４の延在方向に沿って前後にスライド移動させることで、本体ケース２６の正面側から着脱が行われる。
【０１６２】
給気フィルタ４１は、虫取皿部４１ｃが一体となって引き出され、かつ、虫取皿部４１ｃはサイドガイド４１ｄ及びフラップ部４１ｅにより周囲が高くなっているので、引出し時に異物が外に落下することを防いでいる。
【０１６３】
また、排気フィルタ４２は、排気フィルタガイド部材４４によって熱交換素子２４の延在方向に沿って前後方向にスライド移動できるように支持されている。これにより、排気フィルタ４２は、熱交換素子２４の延在方向に沿って前後にスライド移動させることで、本体ケース２６の正面側から着脱が行われる。従って、各流入部及び流出部を正面から見て４５度に傾斜させた向きとした熱交換素子２４に対して、上側に位置させた排気流入部３３ａの入口に、排気フィルタ４２を着脱自在に配置することができる。
【０１６４】
このように、本体ケース２６の正面側から、給気フィルタ４１と排気フィルタ４２を着脱できるようにすることで、図９，図１０等に示すように、本体ケース２６を壁Ｗに埋め込む取付形態としても、給気フィルタ４１及び排気フィルタ４２を交換できる構成とすることができる。
【０１６５】
冬季等に熱交換型換気装置２１を使用すると、外気と室内の空気の温度差により熱交換素子２４で結露が発生することがある。すなわち、熱交換素子２４の排気風路２４ｂを通る室内の空気が、給気風路２４ａを通る外気で冷やされることで、主に排気風路２４ｂで結露が発生する。
【０１６６】
本例の熱交換型換気装置２１では、熱交換素子２４を４５度に傾斜させた向きとしてあり、給気風路２４ａ及び排気風路２４ｂが傾斜している。これにより、排気風路２４ｂで発生した結露水は、排気風路２４ｂの傾斜によって、排気口連通風路３８方向へ流れる。
【０１６７】
排気口連通風路３８には、ドレンパン４０を備えており、熱交換素子２４の排気風路２４ｂで発生した結露水はドレンパン４０で回収される。そして、ドレンパン４０で回収された結露水は、ドレンパン４０の傾斜によって排気口３９から排気ダクト５０を介して屋外へ排水される。
【０１６８】
本例の熱交換型換気装置２１では、各流入部及び流出部を正面から見て４５度に傾斜させた向きとした熱交換素子２４に対して、上側に位置させた排気流入部３３ａの入口に、排気フィルタ４２を着脱自在に配置している。
【０１６９】
これにより、排気フィルタ４２を配置しない熱交換素子２４の排気流出部３３ｂを下側に位置させて、排気流出部３３ｂと連通した排気口連通風路３８を本体ケース２６の下側に配置することができる。このように、排気フィルタ４２を上側に配置したことで、熱交換素子２４で発生した結露水をドレンパン４０で回収することができる。そして、排気口連通風路３８と連通した排気口３９を介して、結露水を屋外に排水することができる。
【０１７０】
＜シャッタの動作例＞
熱交換型換気装置２１では、雨や風等が強いときは、運転を停止してシャッタを閉じ、風雨の侵入を防ぐ。
【０１７１】
図１５（ｂ）にシャッタを閉じた状態を示す。給気口シャッタ４５のシャッタ部４５ａが給気ファン吸込口２９ａを塞ぐ位置にあると、給気口シャッタ４５のラック部４５ｃとギア部４６ｂが噛み合う排気口シャッタ４６は、シャッタ部４６ａが排気口３９を塞ぐ位置となる。
【０１７２】
シャッタを開ける場合は、装置正面側で把手部４５ｄを矢印ＯＰ１方向に移動させる。把手部４５ｄを矢印ＯＰ１方向に移動させると、給気口シャッタ４５の全体が矢印ＯＰ１方向に移動することで、シャッタ部４５ａが矢印ＯＰ１方向に移動して給気ファン吸込口２９ａを開く。
【０１７３】
また、給気口シャッタ４５が矢印ＯＰ１方向に移動すると、ラック部４５ｃとギア部４６ｂの噛み合いによって、排気口シャッタ４６は軸４６ｃを支点に矢印ＯＰ２方向に回転する。これにより、シャッタ部４６ａが矢印ＯＰ２方向に回転して排気口３９を開く。
【０１７４】
ここで、給気口シャッタ４５のシャッタ部４５ａと、排気口シャッタ４６のシャッタ部４６ａの移動方向は互いが近づく方向であり、給気口シャッタ４５と排気口シャッタ４６を連動させて開くと、図１５（ａ）に示すように、シャッタ部４５ａとシャッタ部４６ａは、給気ファン吸込口２９ａと排気口３９の間に形成された退避部２６ｃに重なった状態で収納される。
【０１７５】
シャッタを閉じる場合は、図１５（ａ）に示す状態から、装置正面側で把手部４５ｄを矢印ＣＬ１方向に移動させる。把手部４５ｄを矢印ＣＬ１方向に移動させると、給気口シャッタ４５の全体が矢印ＣＬ１方向に移動することで、退避部２６ｃからシャッタ部４５ａが矢印ＣＬ１方向に移動して給気ファン吸込口２９ａを閉じる。
【０１７６】
また、給気口シャッタ４５が矢印ＣＬ１方向に移動すると、ラック部４５ｃとギア部４６ｂの噛み合いによって、排気口シャッタ４６は軸４６ｃを支点に矢印ＣＬ２方向に回転する。これにより、シャッタ部４６ａが退避部２６ｃから矢印ＣＬ２方向に回転して排気口３９を閉じる。
【０１７７】
本例の熱交換型換気装置２１は、壁Ｗに埋め込んだ形態で取り付けられるので、本体ケース２６の背面側に配置される給気口シャッタ４５及び排気口シャッタ４６を、装置正面側で開閉できる機構が必要となる。そこで、スライド移動させる給気口シャッタ４５に、フロントパネル２７まで延びる把手部４５ｄを備えることで、装置正面側での操作を可能とする。
【０１７８】
また、給気口シャッタ４５に備えたラック部４５ｃと、排気口シャッタ４６に備えたギア部４６ｂの組み合わせで、給気口シャッタ４５の動作を排気口シャッタ４６に伝達するので、給気口シャッタ４５と排気口シャッタ４６の開閉を、給気口シャッタ４５と排気口シャッタ４６の２部品で行うことができる。
【０１７９】
これにより、構造が簡単となり、過負荷の発生等を抑えて、装置正面側に延ばした把手部４５ｄの操作で、装置背面側の給気口シャッタ４５及び排気口シャッタ４６を円滑に動作させることができる。
【０１８０】
更に、給気口シャッタ４５と排気口シャッタ４６を開放したときは、双方のシャッタ部４５ａとシャッタ部４６ａを、給気ファン吸込口２９ａと排気口３９の間に形成された退避部２６ｃに重なった状態で収納するので、収納スペースを少なくして、小型化を図ることができる。
【０１８１】
＜本実施の形態の熱交換型換気装置の変形例＞
図１８〜図２０は本実施の形態の熱交換型換気装置の第１の変形例を示し、図１８は第１の変形例の熱交換型換気装置２１Ａの構成の一例を示す正面図、図１９は第１の変形例の熱交換型換気装置２１Ａの構成の一例を示す側断面図、図２０は第１の変形例の熱交換型換気装置２１Ａの構成の一例を示す平面断面図である。尚、図１８〜図２０において、図７等で説明した熱交換型換気装置２１と同じ構成の要素については、同じ番号を付して説明する。
【０１８２】
第１の変形例の熱交換型換気装置２１Ａは、本体ケース２６に、給気口連通風路３６と排気口連通風路３８を仕切る仕切り部５４を備え、仕切り部５４にイオン発生器２５を備える。
【０１８３】
イオン発生器２５は、イオン放出面が仕切り部５４の上面から給気口連通風路３６を向いて露出し、かつ、イオン放出面が仕切り部５４の上面と略同一面となるように取り付けられる。これにより、イオン発生器２５は、給気口連通風路３６には突出せず、排気口連通風路３８に突出した構成となっている。
【０１８４】
第１の変形例の熱交換型換気装置２１Ａの動作は、熱交換型換気装置２１と同様であり、熱交換素子２４を通過して室内の空気との間で熱交換が行われた外気に、給気口連通風路３６で正イオンと負イオンの双方が供給される。
【０１８５】
そして、熱交換が行われ、正イオンと負イオンの双方を含む外気が、フロントパネル２７の室内吹出口２７ｂから給気される。
【０１８６】
また、イオン発生器２５の本体部分が排気口連通風路３８に突出していることから、排気される空気がイオン発生器２５の本体部分に当たることで、イオン発生器２５の結露を防止している。
【０１８７】
図２１〜図２３は本実施の形態の熱交換型換気装置の第２の変形例を示し、図２１は第２の変形例の熱交換型換気装置２１Ｂの構成の一例を示す正面図、図２２は第２の変形例の熱交換型換気装置２１Ｂの構成の一例を示す側断面図、図２３は第２の変形例の熱交換型換気装置２１Ｂの構成の一例を示す平面断面図である。尚、図２１〜図２３において、図７等で説明した熱交換型換気装置２１と同じ構成の要素については、同じ番号を付して説明する。
【０１８８】
第２の変形例の熱交換型換気装置２１Ｂは、給気口連通風路３６と対向するフロントパネル２７の裏面にイオン発生器２５を備える。イオン発生器２５は、フロントパネル２７を本体ケース２６に取り付けると、イオン放出面が給気口連通風路３６を向くように、フロントパネル２７の裏面に取り付けられる。
【０１８９】
第２の変形例の熱交換型換気装置２１Ｂの動作は、熱交換型換気装置２１と同様であり、熱交換素子２４を通過して室内の空気との間で熱交換が行われた外気に、給気口連通風路３６で正イオンと負イオンの双方が供給される。
【０１９０】
そして、熱交換が行われ、正イオンと負イオンの双方を含む外気が、フロントパネル２７の室内吹出口２７ｂから給気される。
【産業上の利用可能性】
【０１９１】
本発明は、住宅の居室等の壁に設置され、外気を室温に近づけて供給する機能を有する送風装置や換気装置に適用される。
【図面の簡単な説明】
【０１９２】
【図１】本実施の形態の送風装置の構成の一例を示す平面断面図である。
【図２】本実施の形態の送風装置の構成の一例を示す正面断面図である。
【図３】本実施の形態の送風装置の構成の一例を示す側断面図である。
【図４】本実施の形態の送風装置の構成の一例を示す外観斜視図である。
【図５】本実施の形態の送風装置の制御系の一例を示す機能ブロック図である。
【図６】本実施の形態の送風装置が設置された建物及び換気システムの一例を示す構成図である。
【図７】本実施の形態の熱交換型換気装置の構成の一例を示す正面図である。
【図８】本実施の形態の熱交換型換気装置の構成の一例を示す背面図である。
【図９】本実施の形態の熱交換型換気装置の構成の一例を示す側断面図である。
【図１０】本実施の形態の熱交換型換気装置の構成の一例を示す平面断面図である。
【図１１】本実施の形態の熱交換型換気装置の構成の一例を示す正面上方から見た斜視図である。
【図１２】本実施の形態の熱交換型換気装置の構成の一例を示す背面下方から見た斜視図である。
【図１３】本実施の形態の熱交換型換気装置の構成の一例を示す分解斜視図である。
【図１４】給気フィルタの一例を示す構成図である。
【図１５】シャッタの構成の一例を示す背面図である。
【図１６】本実施の形態の熱交換型装置の制御系の一例を示す機能ブロック図である。
【図１７】本実施の形態の熱交換型換気装置が設置された建物の一例を示す構成図である。
【図１８】第１の変形例の熱交換型換気装置の構成の一例を示す正面図である。
【図１９】第１の変形例の熱交換型換気装置の構成の一例を示す側断面図である。
【図２０】第１の変形例の熱交換型換気装置の構成の一例を示す平面断面図である。
【図２１】第２の変形例の熱交換型換気装置の構成の一例を示す正面図である。
【図２２】第２の変形例の熱交換型換気装置の構成の一例を示す側断面図である。
【図２３】第２の変形例の熱交換型換気装置の構成の一例を示す平面断面図である。
【符号の説明】
【０１９３】
１・・・送風装置、２・・・給気ファン、２ａ・・・羽根車、３・・・イオン発生器、４・・・本体ケース、４ａ・・・室内吸込口、５・・・フロントパネル、５ａ・・・室内吹出口、６・・・ファンモータ、７・・・給気ファンケース、７ａ・・・給気ファン吸込口、７ｂ・・・吹出風路、７ｃ・・・風路形成部、７ｄ・・・給気ファン吹出口、８・・・フィルタ、９・・・イオン放出空間、１０・・・吸気ダクト、１０ａ・・・屋外吸込口、１１・・・混合風路、１４・・・制御部、１５・・・操作部、１６・・・建物、１７・・・換気システム、１８・・・排気ファン、２１・・・熱交換型換気装置、２２・・・給気ファン、２３・・・排気ファン、２４・・・熱交換素子、２４ａ・・・給気風路、２４ｂ・・・排気風路、２５・・・イオン発生器、２６・・・本体ケース、２７・・・フロントパネル、２７ａ・・・室内吸込口、２７ｂ・・・室内吹出口、２８・・・ファンモータ、２９・・・給気ファンケース、３０・・・排気ファンケース、３２ａ・・・給気流入部、３２ｂ・・・給気流出部、３３ａ・・・排気流入部、３３ｂ・・・排気流出部、３６・・・給気口連通風路、３８・・・排気口連通風路、３９・・・排気口、４０・・・ドレンパン、４０ａ・・・排水口、４１・・・給気フィルタ、４２・・・排気フィルタ、４７・・・制御部、４８・・・操作部
【図１】
2006308180.tif 000003
【図２】
2006308180.tif 000004
【図３】
2006308180.tif 000005
【図４】
2006308180.tif 000006
【図５】
2006308180.tif 000007
【図６】
2006308180.tif 000008
【図７】
2006308180.tif 000009
【図８】
2006308180.tif 000010
【図９】
2006308180.tif 000011
【図１０】
2006308180.tif 000012
【図１１】
2006308180.tif 000013
【図１２】
2006308180.tif 000014
【図１３】
2006308180.tif 000015
【図１４】
2006308180.tif 000016
【図１５】
2006308180.tif 000017
【図１６】
2006308180.tif 000018
【図１７】
2006308180.tif 000019
【図１８】
2006308180.tif 000020
【図１９】
2006308180.tif 000021
【図２０】
2006308180.tif 000022
【図２１】
2006308180.tif 000023
【図２２】
2006308180.tif 000024
【図２３】
2006308180.tif 000025